(57)【要約】      （修正有）【課題】見栄えが良く、かつ、使用者が日常的に活動しても樹脂チューブや酸素供給部の位置がずれにくく、安定した状態で使用することのできる酸素吸入用器具を提供する。【解決手段】眼鏡のテンプルフレーム２０とリムフレーム２１とを有する眼鏡型の酸素吸入用器具であって、テンプルフレーム２０の少なくとも一方に長手方向に沿って埋設された第１の金属管３と、リムフレーム２１の少なくとも一方の智元から鼻当て近傍までの形状に沿って配置された第２の金属管４と、第１の金属管３の一端と第２の金属管４の一端とを接続する可撓性を有する接続チューブ５と、第２の金属管４の他端に接続されている酸素供給部６とを備え、第１の金属管３の他端は酸素供給装置と接続されている。【選択図】図１
0003178356.tif 000002
【実用新案登録請求の範囲】
【請求項１】
眼鏡のテンプルフレームとリムフレームとを有する眼鏡型の酸素吸入用器具であって、
前記テンプルフレームの少なくとも一方に長手方向に沿って埋設された第１の金属管と、前記リムフレームの少なくとも一方の智元から鼻当て近傍までの形状に沿って配置された第２の金属管と、前記第１の金属管の一端と前記第２の金属管の一端とを接続する可撓性を有する接続チューブと、前記第２の金属管の他端に接続されている酸素供給部とを備え、前記第１の金属管の他端は酸素供給装置と接続されていることを特徴とする酸素吸入用器具。
【請求項２】
前記酸素供給部は、先端が略Ｕ字状に湾曲した樹脂チューブであることを特徴とする請求項１に記載の酸素吸入用器具。
【請求項３】
前記第２の金属管は該リムフレームの内側に配置されていることを特徴とする請求項１又は２に記載の酸素吸入用器具。
【請求項４】
前記第２の金属管に鼻当てが設けられていることを特徴とする請求項３に記載の酸素吸入用器具。
【請求項５】
前記第２の金属管は前記リムフレームの内部に埋設されていることを特徴とする請求項１又は２に記載の酸素吸入用器具。
【考案の詳細な説明】
【技術分野】
【０００１】
本考案は、酸素ボンベ等の酸素供給装置から酸素を吸入するための酸素吸入用器具に関する。
【背景技術】
【０００２】
呼吸器系や循環器系の疾患等によって、血液中の酸素濃度が低下した人の血液中の酸素濃度を改善させるため、空気よりも高濃度の酸素を供給することによる酸素吸入療法が行われる。この酸素吸入療法は医療機関だけでなく、日常的に自宅や外出先等においても行われる場合があり、在宅酸素療法と呼ばれている。在宅酸素療法では、酸素吸入装置として、高圧酸素ボンベ又は液化酸素装置といった酸素供給装置に酸素吸入用器具である鼻腔カニューレが接続された装置が用いられている。
【０００３】
鼻腔カニューレは、使用者の鼻腔に挿入する酸素供給部と、酸素供給装置に接続されており、酸素供給部まで酸素を供給する樹脂チューブとから構成されている。鼻腔カニューレを使用する際には、使用者の鼻腔にその酸素供給部を挿入すると共に、使用者の鼻腔から頬を横切って耳の後ろまで樹脂チューブを通すことにより装着して使用される。そのため、使用者の頭や顔の動きによって、正しく装着していた鼻腔カニューレの位置が移動してしまい、酸素供給部が鼻腔から外れてしまうことがあった。また、顔を横切る樹脂チューブが目立つことから、外出を躊躇してしまったり、使用者がまるで重症患者であるかのような誤解を受けてしまうことがあった。
【０００４】
特許文献１には、上述のような問題を解決するべく、眼鏡フレームに設けられたリング状部材により鼻腔カニューレの樹脂チューブが固定された眼鏡型酸素吸入用具が提案されている。
【先行技術文献】
【特許文献】
【０００５】
【特許文献１】特開２００１−５４５７５号明細書
【考案の概要】
【考案が解決しようとする課題】
【０００６】
しかしながら、特許文献１に記載の眼鏡型酸素吸入用具では、樹脂チューブが眼鏡フレームに固定されている状態が外からそのまま見えるため、見栄えに問題があった。また、樹脂チューブがリング状部材で眼鏡フレームに固定されているため、使用者の頭や顔の動きによって、樹脂チューブが眼鏡フレームに固定された状態で撓んだり、樹脂チューブが引っ張られること等によって固定位置がずれたりすることがあり、酸素供給部の位置が安定しないことがあった。
【０００７】
本考案は上述した点に鑑み案出されたもので、その目的は、外からの見栄えが良く、かつ、使用者が日常的に活動しても樹脂チューブや酸素供給部の位置がずれにくく、安定した状態で使用することのできる酸素吸入用器具を提供することにある。
【課題を解決するための手段】
【０００８】
上記課題を解決するため、本考案の酸素吸入用器具は、眼鏡のテンプルフレームとリムフレームとを有する眼鏡型の酸素吸入用器具であって、テンプルフレームの少なくとも一方に長手方向に沿って埋設された第１の金属管と、リムフレームの少なくとも一方の智元から鼻当て近傍までの形状に沿って配置された第２の金属管と、第１の金属管の一端と第２の金属管の一端とを接続する可撓性を有する接続チューブと、第２の金属管の他端に接続されている酸素供給部とを備え、第１の金属管の他端は酸素供給装置と接続されている。
【０００９】
本考案の酸素吸入用器具は、眼鏡のテンプルフレームに第１の金属管が埋設され、眼鏡のリムフレームの智元から鼻当て近傍までの形状に沿って第２の金属管が配置された眼鏡型の酸素吸入用器具である。第１の金属管の一端はチューブを介して酸素供給装置と接続され、第１の金属管の他端は可撓性を有するチューブを介して第２の金属管の一端と接続されている。他方、第２の金属管の他端は酸素供給部と接続されている。酸素供給装置から供給された酸素は第１の金属管に入り、第１の金属管を通過したのち、第２の金属管に入る。第２の金属管を通過した酸素は、酸素供給部に入り、使用者の鼻腔に挿入されている酸素供給部の端部から放出されて使用者に供給される。このように、酸素供給装置から供給された酸素はテンプルフレームに埋設された金属管を通過して使用者に供給されることから、テンプルフレーム部分において、酸素供給のためのチューブが外から見えることがないため、見栄えを良くすることができ、酸素吸入用器具を使用していることを外観から気付かれ難くすることができる。また、テンプルフレーム及びリムフレームに配置されているチューブが金属管であることから、撓んだり、固定位置がずれたりすることは殆どなく、その結果、酸素供給部の位置が安定し、安定した状態で確実に酸素吸入を行うことができる。
【００１０】
また、本考案の酸素吸入用器具の酸素供給部は、先端が略Ｕ字状に湾曲した樹脂チューブであることも好ましい。外から目立たずに酸素供給部を装着することができると共に樹脂チューブのＵ字状の先端を鼻腔に挿入することにより、安定した状態で確実に酸素吸入することができる。
【００１１】
そして、本考案の酸素吸入用器具の第２の金属管はリムフレームの内側に配置されていることも好ましい。第２の金属管をリムフレームの内側に位置させることにより、外から第２の金属管を見え難くし、見栄えをよくすることができる。
【００１２】
また、第２の金属管に鼻当てが設けられていることも好ましい。眼鏡のリムフレームではなく、第２の金属管に直接鼻当てを設けることにより、使用者の鼻腔近くに第２の金属管の端部に接続された酸素供給部を位置させることができるため、酸素供給部を小さく形成することができ、装着感を向上させることができる。また、第２の金属管に設けられた鼻当てにより、酸素供給部に近い位置で酸素吸入用器具の装着状態を安定して保持することができるため、酸素供給部の位置ずれをより確実に防ぐことができる。
【００１３】
また、第２の金属管はリムフレームの内部に埋設されていることも好ましい。リムフレームの内部に第２の金属管を埋設することにより、第２の金属管が眼鏡フレームとさらに一体化し、装着感が向上するとともに、金属管が外見上現れないため、外からの見栄えがさらに向上する。
【考案の効果】
【００１４】
本考案によれば、以下のような優れた効果を有する酸素吸入用器具を提供することができる。
（１）外からの見栄えが良く、かつ、酸素供給部の位置ずれがし難く、安定した状態で確実に酸素吸入することができる。
（２）酸素吸入用器具を装着した際に、酸素供給のためのチューブが使用者の顔に接触する部分が酸素供給部のみであるため、装着感に優れる。
【図面の簡単な説明】
【００１５】
【図１】本考案の一実施形態に係る酸素吸入用器具を説明する背面斜視図である。
【図２】図１に示す酸素吸入用器具の部分拡大図である。
【図３】図１に示す酸素吸入用器具の正面斜視図である。
【考案を実施するための形態】
【００１６】
以下、本考案の一実施形態に係る酸素吸入用器具１について説明する。
【００１７】
図１〜図３に示すように、本実施形態に係る酸素吸入用器具１は、眼鏡をかけるようにして装着することのできる眼鏡型の酸素吸入用器具１であり、眼鏡フレーム２と、テンプルフレーム２０に埋設された第１の金属管３と、リムフレーム２１の智元２２から鼻当て２３近傍までの形状に沿って配置された第２の金属管４と、第１の金属管３と第２の金属管４とを接続する接続チューブ５と、第２の金属管４と接続された酸素供給部６とから主に構成されている。テンプルフレーム２０に埋設された第１の金属管３は、チューブ７を介して酸素供給装置（図示せず）と接続されており、酸素供給装置から供給された酸素は、チューブ７、第１の金属管３、接続チューブ５及び第２の金属管４を通って酸素供給部６から使用者の鼻腔に供給される。テンプルフレーム２０に埋設された第１の金属管３に接続されている左右両方の２本のチューブ７は、束ね部８ａによって１つに束ねられており、束ね部８ａで束ねられたチューブ７は、分岐部からは１本になって酸素供給装置（図示せず）に接続されている。
【００１８】
まず、図１及び図２を参照しつつ、テンプルフレーム２０に埋設された第１の金属管３について、より詳細に説明する。第１の金属管３は、後述するテンプルフレーム２０の形状に沿うように形成され、テンプルフレーム２０の長手方向に沿って埋設されている。それゆえ、テンプルフレーム２０を不透明材料で形成すれば、酸素供給のためのチューブ（第１の金属管３）が外から見えることがなく、見栄えを良くすることができる。なお、本実施形態では、第１の金属管３は眼鏡フレーム２の左右両方のテンプルフレーム２０に埋設されているが、左右いずれか片方のテンプルフレーム２０のみに埋設される構成であってもよい。
【００１９】
本実施形態における第１の金属管３はその両端部、すなわち、ヒンジ側端部３ａ及びフレーム先端側端部３ｂが夫々接続チューブ５又はチューブ７と取り外し可能に接続できるように、テンプルフレーム２０の外部に突出するように配置されている。それゆえ、第１の金属管３の端部から接続チューブ５やチューブ７を交換したり、取り外して清掃することができ、酸素吸入用器具１のメンテナンスを容易に行うことができる。第１の金属管３のヒンジ側端部３ａは、接続チューブ５と接続され、この接続チューブ５を介して第２の金属管４の智元側端部４ａと接続されている。他方、第１の金属管３のフレーム先端側端部３ｂは、チューブ７と接続され、このチューブ７を介して酸素供給装置（図示せず）に接続されている。このように酸素供給のためのチューブが金属管であることから、テンプルフレーム２０部分で第１の金属管３が撓んだり、ずれたりすることがなく、その結果、酸素供給部の位置が安定し、安定した状態で確実に酸素吸入を行うことができる。第１の金属管３を形成する金属としては、錆びや腐食等に強い金属であればよく、例えば、ステンレス、アルミニウム又はチタン等が好適に用いられる。
【００２０】
次に、図１〜図３を参照しつつ、テンプルフレーム２０について説明する。テンプルフレーム２０は、通常の眼鏡同様に耳にかけて装着できるように構成されていると共に、第１の金属管３を埋設できるように設計されている。本実施形態においては、テンプルフレーム２０のヒンジ２４側に、内側が平面視段状に切り欠きされた段部２０ａが設けられており、この段部２０ａから第１の金属管３のヒンジ側端部３ａが突出するように設計されている。それゆえ、第１の金属管３のヒンジ側端部３ａ及びヒンジ側端部３ａに接続されている接続チューブ５が、テンプルフレーム２０の段部２０ａの切り欠きが施されていない外側の部分に覆われるため、第１の金属管３のヒンジ側端部３ａや接続チューブ５が外部から見えることがなく、見栄えがよくなる。また、テンプルフレーム２０の先端側には、図１に示すように、後述するチューブ調整部８のフック８ｂを引っ掛けるためのフック支持部９を備えることができる。フック支持部９は、本実施形態においては、テンプルフレーム２０の先端側に脱着可能に締着されたリング型の天然ゴム、合成ゴム又は可撓性樹脂等から形成されているが、テンプルフレーム２０自体がフックを引っ掛ける孔を備える構成としてもよい。なお、本実施形態では、フック支持部９は、左側のテンプルフレーム２０のみに備えられているが、右側のみ、又は左右両方に備えることもできる。
【００２１】
次に、図１及び図２を参照しつつ、第２の金属管４について説明する。本実施形態において、第２の金属管４は、後述するリムフレーム２１の左右夫々の智元２２から左右夫々の鼻当て２３近傍までの形状に沿うように形成されている。本実施形態の第２の金属管４は、リムフレーム２１の形状に沿ってリムフレーム２１の内側に近接して配置されている。それゆえ、外から見た場合にリムフレーム２１に第２の金属管４が隠れた状態となり、酸素供給のためのチューブである第２の金属管４が外から見え難く、見栄えが向上する。また、本実施形態では、第２の金属管４はリムフレーム２１の左右両方のレンズ２５に対応する部分に沿って配置されているが、左右いずれか片方のレンズ２５に対応する部分のみに配置される構成であってもよい。さらに、第２の金属管４は、第１の金属管３のようにリムフレーム２１に埋設させることも可能である。それにより、第２の金属管４が眼鏡フレーム２と一体化し、装着感が向上するとともに、第２の金属管４が外見上現れないため、外からの見栄えがさらに向上させることができる。
【００２２】
本実施形態における第２の金属管４は、眼鏡フレーム２の左右夫々の智元２２近傍でリムフレーム２１に夫々固定されている。さらに、固定された第２の金属管４どうしは支持片４ｃにより連結されており、支持片４ｃはリムフレーム２１のブリッジ２６部分に沿った形状に形成されている。このようにリムフレーム２１の内側に配置された左右の第２の金属管４を連結させることにより、第２の金属管４を確実にリムフレーム２１に支持固定させ、酸素供給部６の位置を安定させることができる。また、第２の金属管４とリムフレーム２１とでレンズ２５を支持することにより、第２の金属管４をリムフレーム２１にさらに固定することも可能である。具体的には、例えば第２の金属管４でレンズ２５の上側周縁部の一部を下向きに押さえて支持すると共に、リムフレーム２１の下側の枠でレンズ２５の下側周縁部を支持することにより、レンズ２５を介して第２の金属管４がリムフレーム２１に固定され得る。このように、第２の金属管４のリムフレーム２１への固定については、配置位置がずれることがないように固定されていればよく、固定手段及び固定位置は特に限定されない。第２の金属管４の智元側端部４ａは、接続チューブ５と接続され、この接続チューブ５を介して第１の金属管３のヒンジ側端部３ａと接続されている。他方、第２の金属管４の鼻当て側端部４ｂは、酸素供給部６に接続されている。第２の金属管４を形成する金属としては、錆びや腐食等に強い金属であればよく、例えば、ステンレス、アルミニウム又はチタン等が好適に用いられる。
【００２３】
さらに、本実施形態における第２の金属管４には鼻当て２３が設けられている。通常、鼻当て２３は、眼鏡フレーム２のリムフレーム２１のブリッジ２６下部に設けられているが、第２の金属管４の鼻当て側端部４ｂの近傍に鼻当て２３を設けることにより、使用者の鼻腔近くに第２の金属管４の端部に接続された酸素供給部６を位置させることができるため、酸素供給部６を小さく形成することができ、装着感を向上させることができる。また、第２の金属管４に設けられた鼻当て２３により、酸素供給部６に近い位置で酸素吸入用器具１の装着状態を安定して保持することができるため、酸素供給部６の位置ずれをより確実に防ぐことができる。
【００２４】
次に、図１〜図３を参照しつつ、リムフレーム２１について説明する。リムフレーム２１は、通常の眼鏡同様に装着できるように構成されている。本実施形態においては、リムフレーム２１の内側に近接して第２の金属管４が配置されていることから、外から第２の金属管４が見えないように、リムフレーム２１の枠太さは第２の金属管４と同程度かそれよりも太いものが好ましい。なお、リムフレーム２１には、レンズ２５を嵌めこんで通常の眼鏡として使用することも可能である。
【００２５】
眼鏡フレーム２のリムフレーム２１とテンプルフレーム２０との間には、通常の眼鏡同様にヒンジ２４が配置されており、テンプルフレーム２０が回動できるように構成されている。本考案においては、このヒンジ部分に可撓性を有する接続チューブ５が配置することにより、第１の金属管３と第２の金属管４の接続状態を維持しつつ、ヒンジ２４の動きに従ってテンプルフレーム２０を回動させることができる。
【００２６】
次に、図１〜図３を参照しつつ、酸素供給部６について説明する。酸素供給部６は、第２の金属管４の鼻当て側端部４ｂと接続されており、本実施形態においては、先端が略Ｕ字状に湾曲した樹脂チューブが用いられている。それゆえ、外から目立たないように酸素供給部６を装着できると共にチューブのＵ字状の先端を鼻腔に挿入することで確実に酸素吸入することができる。なお、本実施形態では、酸素供給部６は、左右両方に配置された第２の金属管４の鼻当て側端部４ｂに夫々接続されて設けられているが、左右いずれか片方の酸素供給部４の鼻当て側端部４ｂのみに接続されて設けられていてもよい。
【００２７】
次に、図１を参照しつつ、チューブ調整部８について説明する。チューブ調整部８は、第１の金属管３のフレーム先端側端部３ｂに接続された左右両方のチューブ７を１つに束ねる機能を有する。チューブ調整部８は、チューブ７を束ねる束ね部８ａと、束ね部８ａに一端が固定されている連結紐８ｃと、連結紐８ｃの他端に設けられるフック８ｂとから主に構成されている。束ね部８ａとしては、チューブ７を閉塞させずに２本のチューブ７を１つに束ねることができるものであればよく、本実施形態においてはチューブ７が充分に通る大きさの中空のＹ字型に形成されている。この束ね部８ａには連結紐８ｃが固定されており、チューブ７における束ね部８ａの束ね位置が連結紐８ｃを引っ張ることで調整される。また、連結紐８ｃの他端にはフック８ｂが設けられており、このフック８ｂをフック支持部９に引掛けることで、束ね部８ａの位置が調整された状態で維持される。束ね部８ａは本実施形態のように中空のＹ字型に形成されたもののほか、筒型に形成されたものであってもよい。また、フック８ｂは、略Ｕ字型に折曲した金属線を樹脂で被覆したものや、可撓性を有する樹脂等で成形したものが使用される。連結紐８ｃの紐長さについては、特に限定されないが、フック支持部９にフック８ｂを引っ掛けた際に、束ね部８ａが使用者の着用する上衣の襟元周辺に位置するような長さが好ましい。このチューブ調整部８により左右のテンプルフレーム２０の先端から延びるチューブ７を１つにまとめることができるため、使用者が動いた際にチューブ７が夫々不要に動くなどして眼鏡フレーム２がずれたり、近くにあるものにチューブ７が引っ掛かってしまうことを防ぐことができる。それゆえ、酸素吸入用器具１の装着感が向上すると共に、安定して酸素吸入用器具１を装着することができる。
【００２８】
次に、本実施形態にかかる酸素吸入用器具１の使用方法について説明する。本考案の酸素吸入用器具１は、通常の眼鏡をかけるようにして装着することができる。具体的には、酸素吸入用器具１の眼鏡フレーム２を使用者の鼻と耳に固定させて装着すると共に使用者の鼻腔に酸素供給部６のチューブの先端を挿入することで装着される。それゆえ、酸素吸入用器具１を装着した際に、酸素供給のためのチューブが使用者の顔に接触する部分が酸素供給部６の先端のみであるため、装着感に優れている。また、本実施形態の酸素吸入用器具１においては、リムフレーム２１の内側に固定された第２の金属管４に鼻当て２３が設けられていることから、使用者の鼻腔近くに第２の金属管４の端部に接続された酸素供給部６を位置させることができると共に酸素供給部６に近い位置で酸素吸入用器具１が固定されるため、酸素供給部６の位置ずれを防いで安定して酸素吸入することができる。酸素は、酸素供給装置からチューブ７を通り、第１の金属管３のフレーム先端側端部３ｂからヒンジ側端部３ａを通り、接続チューブ５を通り、第２の金属管４の智元側端部４ａから鼻当て側端部４ｂを通り、酸素供給部６から使用者の鼻腔に供給される。さらに、この酸素吸入用器具１を使用する際には、チューブ調整部８を用いることにより、第１の金属管３のフレーム先端側端部３ｂに接続された左右両方のチューブ７を使用者の背中側、又は胸側等の適当な位置で１つに束ねることができる。それゆえ、使用者が動いた際にチューブ７が夫々不要に動くなどして眼鏡フレーム２がずれたり、近くにあるものにチューブ７が引っ掛かってしまうことを防ぎ、装着感が向上すると共に安定して酸素吸入することができる。
【００２９】
本考案は、上記の実施形態に限定されるものでなく、実用新案登録請求の範囲に記載された考案の要旨を逸脱しない範囲内での種々、設計変更した形態も技術的範囲に含まれるものである。
【符号の説明】
【００３０】
１  酸素吸入用器具
２  眼鏡フレーム
２０  テンプルフレーム
２０ａ  段部
２１  リムフレーム
２２  智元
２３  鼻当て
２４  ヒンジ
２５  レンズ
２６  ブリッジ
３  第１の金属管
３ａ  ヒンジ側端部
３ｂ  フレーム先端側端部
４  第２の金属管
４ａ  智元側端部
４ｂ  鼻当て側端部
４ｃ  支持片
５  接続チューブ
６  酸素供給部
７  チューブ
８  チューブ調整部
８ａ  束ね部
８ｂ  フック
８ｃ  連結紐
９  フック支持部
【図１】
0003178356.tif 000003
【図２】
0003178356.tif 000004
【図３】
0003178356.tif 000005